(57)【要約】【課題】簡単な構造で書籍に着脱自在にしっかり取付けることが可能で、取扱い性に優れるとともに使い勝手が良く、且つ安価で生産性に優れる栞を提供すること。【解決手段】長辺部１００ａを着脱自在に書籍に挟み込ませ１枚の反発性を有する素材から成る長方形状の本体１００、及び本体１００に一体となるよう設けられ書籍の頁を捲ると次頁に移動し書籍を閉じるとそれまで開いていた頁に保持される弾性を有する栞機能部１２０を具備するものであって、栞機能部１２０は、本体１００の上部側の短辺部１００ｂから下方へ指向するよう形成され頁に接触する接触片部１２２と、接触片部１２２の上部が一端部に設けられて短辺部１００ｂの上方側に位置するよう設けられた撓み部１２４と、撓み部１２４の他端部に設けられると共に本体１００に一体的に設けられる取付け部１２６とから構成されることを特徴とする。【選択図】  図１
0003211597.tif 000002
【実用新案登録請求の範囲】
【請求項１】
長辺部を着脱自在に書籍に挟み込ませ、１枚の反発性を有する素材から成る長方形状の本体と、
この本体に一体となるよう設けられ、上記書籍の頁を捲ると次頁に移動し、上記書籍を閉じるとそれまで開いていた頁に保持される弾性を有する栞機能部とを具備するものであって、
上記栞機能部は、
上記本体の上部側の短辺部から下方へ指向するよう形成され上記頁に接触する接触片部と、
この接触片部の上部が一端部に設けられて上記短辺部の上方側に位置するよう設けられた撓み部と、
この撓み部の他端部に設けられると共に上記本体に一体的に設けられる取付け部とから構成されることを特徴とする栞。
【請求項２】
上記本体は、その厚みを０．３ｍｍ乃至１．０ｍｍとし、
上記栞機能部は、その厚みを０．４ｍｍ乃至１．０ｍｍとしたことを特徴とする請求項１記載の栞。
【請求項３】
上記本体の上部側の短辺部近傍であって、上記接触片部の外側に位置するようにクリップ留めのマークを設けたことを特徴とする請求項１または請求項２記載の栞。
【請求項４】
上記栞機構部は上記本体に着脱自在となるよう取着されるよう構成したことを特徴とする請求項１、請求項２または請求項３記載の栞。
【考案の詳細な説明】
【技術分野】
【０００１】
本考案は、単行本や文庫本等の書籍に挟む栞、特に頁を捲った際に次頁に自動的に栞の一部が移動し、書籍を閉じるとそれまでに開いていた位置に当該栞の一部が保持されるよう構成した使い勝手の良い栞に関する。
【背景技術】
【０００２】
従来より、書籍の頁を捲った際に自動的に次頁に栞の一部が移動するよう構成された栞、所謂自動栞と称されるものが提案されている。
【０００３】
下記特許文献１には、書籍に取付けられて、読書中の頁に栞部が自動的に挿入される自動栞が開示されている。この特許文献１に開示されたものは、書籍に取付けられる固定部、読書中の頁間に挿入される栞部を有する自動栞に於いて、栞部の基端側に一端が固定部に連結する連結部を有し、固定部、連結部及び栞部は一枚のシート状物から形成され、連結部及び栞部は、折り目の両端を夫々始点とする切り目によって帯状に形成されているものである。従って、挟む頁の厚さが厚くなっても、また紙質が硬くてサイズの大きい書籍であっても、頁を捲る毎に確実に自動的に読む頁に栞部が挿入されるよう構成したものである。
【０００４】
下記特許文献２には、弾性を有する合成樹脂板によって、本体及び本体より突出した延出部を一体的に構成し、且つ本体に略Ｕ字状の切込みを形成し延出部を略Ｌ字状に構成して、本体を造形体とし、切込みを造形体の輪郭の一部とし、延出部の先端に先端部を設け、先端部を造形体とし、切込みの端部を延出部の内側辺の略延長上に配置した自動栞が開示されている。さらに、このものにあっては、弾性を有する合成樹脂板の左右一側に略Ｕ字状の切込みを設け、他側に略Ｌ字状の切込みを設けて、略Ｌ字状の切込みの縦側の端部を開放し、略Ｕ字状の切込みの端部を略Ｌ字状の切込みの横側の直線部の略延長上に配置するよう構成したものである。
【０００５】
下記特許文献３には、書籍に挟みページを捲った際に次頁に栞の先端部が移動し、書籍を閉じると開いていた位置に栞の先端部が保持される自動栞、即ち、自動栞の栞部は弾性撓み部と連結されており、弾性撓み部のもう一方の端部は保持部の上部と連結され、挟み幅Ｄを０．０５ｍｍ乃至最大４０ｍｍとし、弾性撓み部の寸法の長さＬは２０ｍｍ乃至７０ｍｍ、高さＨは１ｍｍ乃至５ｍｍ、厚さＴは０．２ｍｍ乃至１．０ｍｍとしたことを特徴とする自動栞が開示されている。
【先行技術文献】
【特許文献】
【０００６】
【特許文献１】特開２０００−１９０６６１号公報
【特許文献２】特開２０００−２３８４６４号公報
【特許文献３】実用新案登録第３１３４９０５号公報
【考案の開示】
【考案が解決しようとする課題】
【０００７】
上述したように種々の自動栞が提案されている。
【０００８】
しかしながら、特許文献１に開示された自動栞は、折り目は本の厚さ方向に対し折った位置が決められてしまうため、折り目の位置より数ページのときは、折り角度により追従できるが頁数が多くなると折り角度に無理が生じ、滑らかには栞部の移動ができず、挟み代えて折り目を作り変える必要があった。このため何度も折り目を作ることになり連結部は折り目の痕だらけとなり、折癖が邪魔して上手く栞部が移動しないものであった。
【０００９】
また、特許文献１に開示された自動栞は、連結部は１枚の頁の水平方向に対し同じ水平方向に幅が広くなっているために、頁を捲った際に連結部の曲げ強度が大きいために柔軟性に欠き、栞部を跳ね上げる形でしか頁送りができず、無理に頁を捲ると栞部のエッジがペーパーナイフのように作用してしまい、頁紙が破れてしまうという虞もあった。さらに、現実の使用に於いては、単なる概略形状の構成であるため、数回の使用は可能としても長期使用には対応は困難なものとなっていた。
【００１０】
さらには、特許文献１に開示された自動栞は、書籍に取付けるために固定部に接着領域を設ける必要があった。
【００１１】
特許文献２に開示された自動栞は、切込みに数頁を挟ませて固定する構成となっているので、不用意な力が加わることにより挟まれた頁が破損したり折れ曲がってしまう虞があった。また、書籍を読み進めていくと切込みが挟む数頁を適宜移動させる事態も生じる虞もあった。
【００１２】
特許文献３に開示された自動栞は、本の裏表紙と頁紙の間或いは頁紙の中間位置に保持部が挟まれることにより、自動栞の全体を本の挟み力により保持する構成としてある。そして、保持部に糊付け部を設けることにより、さらに自動栞の固定を強固にしてある。このため、糊付け部は多数回、着脱自在となるよう考慮した構成とする必要がある。
【００１３】
本考案は上記事情を考慮してなされたもので、上述の不具合を解消し、簡単な構造で書籍に着脱自在にしっかり取付けることが可能で、取扱い性に優れるとともに、使い勝手の良い栞を提供することを目的とする。
また、本考案は、安価で生産性に優れる栞を提供することを目的とする。
【課題を解決するための手段】
【００１４】
本考案は、上記目的を達成するために以下の通りの構成とすることを特徴とする。
【００１５】
（１）  長辺部を着脱自在に書籍に挟み込ませ１枚の反発性を有する素材から成る長方形状の本体と、この本体に一体となるよう設けられ上記書籍の頁を捲ると次頁に移動し上記書籍を閉じるとそれまで開いていた頁に保持される弾性を有する栞機能部とを具備するものであって、上記栞機能部は、上記本体の上部側の短辺部から下方へ指向するよう形成され上記頁に接触する接触片部と、この接触片部の上部が一端部に設けられて上記短辺部の上方側に位置するよう設けられた撓み部と、この撓み部の他端部に設けられると共に上記本体に一体的に設けられる取付け部とから構成されることを特徴とする。
【００１６】
（２）  上記（１）の構成にあって、上記本体はその厚みを０．３ｍｍ乃至１．０ｍｍとし、上記栞機能部は、その厚みを０．４ｍｍ乃至１．０ｍｍと構成したことを特徴とする。
【００１７】
（３）  上記（１）または（２）の構成にあって、上記本体の上部側の短辺部近傍であって、上記接触片部の外側に位置するようにクリップ留めのマークを設けたことを特徴とする。
【００１８】
（４）  上記（１）、（２）または（３）の構成にあって、上記栞機構部は上記本体に着脱自在となるよう取着されるよう構成したことを特徴とする。
【００１９】
上記構成によれば、簡単な構造で書籍に着脱自在にしっかり取付けることが可能で、取扱い性に優れるとともに、使い勝手の良い自動栞を提供可能となるものである。
また、上記構成によれば、安価で生産性に優れる自動栞を提供可能となるものである。
【００２０】
さらに、上記構成によれば、従来のように栞を固定するための特別な手段を必要としないので、実用的にも優れ有用なものである。加えて、書籍を損傷することもなく、耐久性にも優れるものである。
【００２１】
さらに、上記構成によれば、本体が損傷等した場合であっても栞機能部を本体から取外して単独で使用も可能であり、便利で有用なものである。
【考案の効果】
【００２２】
本考案によれば、簡単な構造で書籍に着脱自在にしっかり取付けることが可能で、取扱い性に優れるとともに、使い勝手の良い栞を提供することができるという効果を奏する。
また、本考案によれば、安価で生産性に優れる栞を提供することができるという実用的効果を奏する。
【図面の簡単な説明】
【００２３】
【図１】本考案の第１の実施形態に係わる栞の全体の概略構成を示す図である。
【図２】同実施形態に係わり、栞機能部の概略構成を示す図である。
【図３】同実施形態に係わり、栞を書籍に取付けての使用状態を模式的に示す斜視図である。
【図４】同実施形態に係わり、栞を書籍に取付けての使用状態を上部側から概略的に示す図である。
【図５】同実施形態に係わる変形例であり、栞の全体の概略構成を示す図である。
【図６】本考案の第２の実施形態に係わる栞の全体の概略構成を示す図である。
【図７】同実施形態に係わり、栞を書籍に取付けての使用状態を模式的に示す斜視図である。
【図８】同実施形態に係わり、栞を書籍に取付けての使用状態を上部側から概略的に示す図である。
【考案を実施するための形態】
【００２４】
以下本考案の実施形態につき、図を参照して説明する。
【００２５】
（第１の実施形態）
第１の実施形態に係わる栞１０（図１乃至図４参照）は、書籍の頁を捲った際に自動的に次頁に栞の一部が移動するよう構成されたものであり、所謂自動栞と称されるものである。而して栞１０は、１枚の反発性を有する素材から成る長方形状（例えば長辺部は１４ｃｍ、短辺部は９．６ｃｍ）の本体１００及び栞機能部１２０から構成されている。
【００２６】
本体１００は、例えばその厚みが０．３ｍｍ乃至１．０ｍｍの反発性を有する厚紙から成り、一方の長辺部１００ａを着脱自在に書籍２００の小口２００ａから背２００ｂの方に、即ちのど２００ｃの方に押込むようにして挟み込ませて、本体１００を書籍２００に取付けるものである。
本実施形態では、本体１００の素材は厚紙を使用しているが、他に例えばポリプロピレン（ＰＰ）でもよく、適度に反発性を有する素材あれば何でもよいことは勿論である。また、その厚さについては、０．５ｍｍ乃至０．６ｍｍ前後がより好ましいものである。
【００２７】
栞機能部１２０は、本体１００と同様に反発性を有する素材、例えばその厚みが０．４ｍｍ乃至１．０ｍｍの反発性を有するＰＰから成り、本体１００の上部側の短辺部１００ｂから下方へ指向するよう形成され書籍２００の頁に接触する接触片部１２２、この接触片部１２２の上部１２２ａが一端部１２４ａにて一体的に設けられて短辺部１００ｂと所定の間隙を存して設けられた撓み部１２４及びこの撓み部１２４の他端部１２４ｂにて一体的に設けられ本体１００に接着により一体的となるよう設けられる取付け部１２６とから構成されている。ここで、栞機能部１２０は、本体１００の一方の長辺部１００ａ側近傍に取付け部１２６が位置するよう設けられている。
なお、栞機能部１２０の厚さについては、０．５ｍｍ乃至０．６ｍｍ前後がより好ましいものである。
【００２８】
さて、接触片部１２２は、白鳥の顔及びくちばしを模した形状を呈し、下方へ指向するよう形成されている。本体１００が書籍２００に取付けられると、頁２００ｄが捲られると接触片部１２２が頁２００ｄの上端部を滑るようにして次の頁２００ｄに弾性力により自動的に移動するよう構成されている。
【００２９】
撓み部１２４は、水平方向に回動自在となるよう構成されており、常に取付け部１２６と同一面上に位置するよう、即ち本体１００と同一面上に位置するよう弾性力が働くよう構成されている。
【００３０】
取付け部１２６は、連結部１２６ａ、この連結部１２６ａの他端部にて一体的に形成される取着部１２６ｂ及び取着部１２６ｂの片面側に設けられた糊領域部１２６ｃから構成されるものである。ここで、連結部１２６ａは、上部側の一端部にて撓み部１２４の他端部１２４ｂと一体的に形成されている。また、取着部１２６ｂは、糊領域部１２６ｃを介して本体１００に着脱自在に取着されるよう構成されている。なお、糊領域部１２６ｃには、例えば複数回脱着が可能な糊或いは両面テープが設けられている。
【００３１】
本体１００の上部側の短辺部１００ｂ近傍であって接触片部１２２の外方側には（図１中、上部右側）、クリップ留めのマーク１３０が印刷表記されることにより設けられている。これは、書籍２００に本体１００を挟み込んだ後、マーク１３０の位置にて本体１００を書籍２００にクリップ留めすることにより、より安定して栞１０の利用が可能となるために設けられている。
【００３２】
また、本体１００の長辺部１００ａ側には、複数の矢印「←」と文書「本の背に差し込んで下さい」と印刷表記されたガイド領域１４０が設けられている。
【００３３】
さらに本体１００の下半分、即ち栞機能部１２０下方部分は、自由領域１５０が設けられている。自由領域１５０には、例えば栞１０の使用方法が記載されたりする領域である。
【００３４】
上記構成につき、その作用を以下に説明する。
【００３５】
栞１０を使用するには、先ず、書籍２００の例えば最終頁より２頁乃至３頁前に本体１００の長辺部１００ａを書籍２００の小口２００ａから背２００ｂの方向に差込む。即ち、ガイド領域１４０側を書籍２００ののど２００ｃに押込むようにして挟み込ませる。
【００３６】
次に、接触片部１２２を栞機能部１２０の弾性力に抗して頁を跨ようにして読み始める頁に移動させて、当該頁に位置させる。このとき、接触片部１２２は、当該頁を本体１００の方向に、即ち矢印Ａ方向に押圧することになる（図３参照）。
【００３７】
接触片部１２２の押圧力に抗して当該頁を捲ると、接触片部１２２は次頁に移動してあらたに開かれた頁を本体１００の方向に押圧することになる。而して書籍２００の頁を捲る度に次頁に接触片部１２２は移動し、書籍２００を閉じるとそれまで開いていた頁に接触片部１２２が保持される。
【００３８】
書籍２００に取付けられた栞１０を取外す場合は、のど２００ｃにて挟み込まれた本体１００を例えば小口２００ａ側へ引き抜けばよいものである。
【００３９】
さて、栞機能部１２０は、糊領域部１２６ｃを介して本体１００に着脱自在に取着されている。本体１００が例えば損傷したり劣化した場合、栞機能部１２０を本体１００から取外し、あらたに用意した本体１００に糊領域部１２６ｃを介して取着すれば、従前同様に自動栞として機能するものである。
【００４０】
或いは、栞機能部１２０を単独で書籍２００ののど２００ｃに挟み込んで取付ければ、従前同様に自動栞として機能するものである。
【００４１】
上記実施形態によれば、簡単な構造で書籍２００に着脱自在にしっかり取付けることが可能で、取扱い性に優れるとともに、使い勝手の良い自動栞を提供できるものである。また、シンプルな構造なため、安価で生産性に優れる自動栞を提供できるものである。
【００４２】
さらに、上記実施形態によれば、従来のように栞を固定するための特別な手段を必要としないので、誰にでも簡単に取り付けられ、実用的にも優れ有用なものである。加えて、書籍２００を損傷することもなく、耐久性にも優れるものである。
【００４３】
さらに、上記実施形態によれば、本体１００が損傷等した場合であっても栞機能部１２０を本体１００から取外し、あらたに用意した本体１００に栞機能部１２０を取付けることが可能であり、繰返し使用できて便利で有用なものである。
また、栞機能部１２０を損傷等した本体１００から取外し、単独で自動栞としても使用可能であるので、便利なものである。
【００４４】
図５は、上記実施形態の変形例であり、同一部分・同一機能には同一符号を付して説明は省略する。
【００４５】
この変形例では、撓み部１２４を短辺部１００ｂと間隙を存することなくその上方側に位置するよう設けたものである。このような構成に於いても、上記実施形態と同様の作用・効果を奏するものである。
【００４６】
（第２の実施形態）
第２の実施形態に係わる栞３０は、書籍の頁を捲った際に自動的に次頁に栞の一部が移動するよう構成されたものであり、所謂自動栞と称されるものである。而して栞３０は、１枚の反発性を有する素材から成る長方形状（例えば長辺部は１４ｃｍ、短辺部は９．６ｃｍ）の本体３００及び栞機能部３２０から構成されている。
【００４７】
本体３００は、例えばその厚みが０．３ｍｍ乃至１．０ｍｍの反発性を有するポリプロピレン（ＰＰ）から成り、一方の長辺部３００ａを着脱自在に書籍２００の小口２００ａから背２００ｂの方に、即ちのど２００ｃの方に押込むようにして挟み込ませて、本体３００を書籍２００に取付けるものである。
本実施形態では、本体１００の素材はＰＰを使用しているが、他に適度に反発性を有する厚紙でもよく、適度に反発性を有する素材あれば何でもよいことは勿論である。また、その厚さについては、０．５ｍｍ乃至０．６ｍｍ前後がより好ましいものである。
【００４８】
栞機能部３２０は、本体３００と同様に反発性を有する素材、例えばその厚みが０．３ｍｍ乃至１．０ｍｍ、好ましくは０．５ｍｍ乃至１．０ｍｍの反発性を有するＰＰから成り、本体３００の上部側の短辺部３００ｂから下方へ指向するよう形成され書籍２００の頁に接触する接触片部３２２、この接触片部３２２の上部３２２ａが一端部３２４ａにて一体的に設けられて短辺部３００ｂと所定の間隙を存して設けられた撓み部３２４及びこの撓み部３２４の他端部３２４ｂにて一体的に設けられ本体３００と一体形成により設けられる取付け部３２６とから構成されている。
なお、栞機能部１２０の厚さについては、０．５ｍｍ乃至０．６ｍｍ前後がより好ましいものである。
【００４９】
さて、接触片部３２２は、白鳥の顔及びくちばしを模した形状を呈し、下方へ指向するよう形成されている。本体３００が書籍２００に取付けられると、頁２００ｄが捲られると接触片部３２２が頁２００ｄの上端部を滑るようにして次の頁２００ｄに弾性力により自動的に移動するよう構成されている。
【００５０】
撓み部３２４は、水平方向に回動自在となるよう構成されており、本体３００と同一面上に位置するよう弾性力が働くよう構成されている。
【００５１】
取付け部３２６は、上部側が撓み部３２４の他端部３２４ｂと一体的に形成されており、また下部側が本体３００の短辺部３００ｂと一体的に形成されている。
【００５２】
なお、本体３００の上部側の短辺部３００ｂ近傍であって接触片部３２２の外方側には（図６中、上部右側）、クリップ留めのマーク３３０が印刷表記されることにより設けられている。これは、書籍２００に本体３００を挟み込んだ後、マーク３３０の位置にて本体３００を書籍２００にクリップ留めすることにより、より安定して栞３０の利用が可能となるために設けられている。
【００５３】
また、本体３００の長辺部３００ａ側には、複数の矢印「←」と文書「本の背に差し込んで下さい」と印刷表記されたガイド領域３４０が設けられている。
【００５４】
さらに本体３００の下半分には、自由領域３５０が設けられている。自由領域３５０には、例えば栞３０の使用方法が記載されたりする領域である。
【００５５】
上記構成につき、その作用を以下に説明する。
【００５６】
栞３０を使用するには、先ず、書籍２００の例えば最終頁より２頁乃至３頁前に本体３００の長辺部３００ａを書籍２００の小口２００ａから背２００ｂの方向に差込む。即ち、ガイド領域３４０側を書籍２００ののど２００ｃに押込むようにして挟み込ませる。
【００５７】
次に、接触片部３２２を栞機能部３２０の弾性力に抗して頁を跨ようにして読み始める頁に移動させて、当該頁に位置させる。このとき、接触片部３２２は、当該頁を本体３００の方向に、即ち矢印Ｂ方向に押圧することになる（図７参照）。
【００５８】
接触片部３２２の押圧力に抗して当該頁を捲ると、接触片部３２２は次頁に移動してあらたに開かれた頁を本体３００の方向に押圧することになる。而して書籍２００の頁を捲る度に次頁に接触片部３２２は移動し、書籍２００を閉じるとそれまで開いていた頁に接触片部３２２が保持される。
【００５９】
書籍２００に取付けられた栞３０を取外す場合は、のど２００ｃにて挟み込まれた本体３００を例えば小口２００ａ側へ引き抜けばよいものである。
【００６０】
上記実施形態によれば、簡単な構造で書籍２００に着脱自在にしっかり取付けることが可能で、取扱い性に優れるとともに、使い勝手の良い自動栞を提供できるものである。また、栞機能部３２０を一体的に形成する本体３００は、シンプルな構造なため、安価で生産性に優れる自動栞を提供できるものである。
【００６１】
さらに、上記実施形態によれば、従来のように栞を固定するための特別な手段を必要としないので、誰にでも簡単に取り付けられ、実用的にも優れ有用なものである。加えて、書籍２００を損傷することもなく、耐久性にも優れるものである。
【００６２】
本考案は上記実施形態に限定されることなく、その趣旨を逸脱しない限り種々の変形が可能なことは勿論である。
【符号の説明】
【００６３】
１０，３０          …栞
１００，３００      …本体
１００ａ，３００ａ  …長辺部
１００ｂ，３００ｂ  …短辺部
１２０，３２０      …栞機能部
１２２，３２２      …接触片部
１２４，３２４      …撓み部
１２６，３２６      …取付け部
２００              …書籍
２００ａ            …小口
２００ｂ            …背
２００ｃ            …のど
２００ｄ            …頁
【図１】
0003211597.tif 000003
【図２】
0003211597.tif 000004
【図３】
0003211597.tif 000005
【図４】
0003211597.tif 000006
【図５】
0003211597.tif 000007
【図６】
0003211597.tif 000008
【図７】
0003211597.tif 000009
【図８】
0003211597.tif 000010
【手続補正書】
【提出日】平成29年5月31日(2017.5.31)
【手続補正１】
【補正対象書類名】実用新案登録請求の範囲
【補正対象項目名】請求項４
【補正方法】変更
【補正の内容】
【請求項４】
上記栞機能部は上記本体に着脱自在となるよう取着されるよう構成したことを特徴とする請求項１、請求項２または請求項３記載の栞。
【手続補正２】
【補正対象書類名】明細書
【補正対象項目名】００１８
【補正方法】変更
【補正の内容】
【００１８】
（４）  上記（１）、（２）または（３）の構成にあって、上記栞機能部は上記本体に着脱自在となるよう取着されるよう構成したことを特徴とする。